(57)【特許請求の範囲】
【請求項１】
火災受信機からのポーリング動作によって、定期的に状態返送を要求され、通常時には、アナログ値を出力値として上記火災受信機に返送するアナログ式火災感知器において、
上記アナログ式火災感知器は、
判別対象の故障が、火災検出を行うことができる緊急性が低い故障である出力値注意状態であるか、火災検出を行うことができない緊急性が高い故障である出力値異常状態であるかを判別する状態判別手段と；
上記判別対象の故障が上記出力値注意状態であると判別された場合、出力値注意状態であることを示す出力値注意状態コードを生成し、一方、上記判別対象の故障が上記出力値異常状態であると判別された場合、出力値異常状態であることを示す出力値異常状態コードを生成するコード生成手段と；
上記コード生成手段が生成した上記出力値異常状態コードまたは上記出力値注意状態コードを、火災受信機に送信するコード送信手段と；
を有し、
上記コード送信手段は、上記火災受信機からのポーリング動作によって返送する出力値として、
通常時には、アナログ値を送信し、
出力値注意状態時には、上記火災受信機による火災検出を阻害しない所定時間毎に１回、アナログ値の代わりに上記出力値注意状態コードを送信し、
出力値異常状態時には、アナログ値の代わりに上記出力値異常状態コードを送信することを特徴とするアナログ式火災感知器。
【発明の詳細な説明】
【技術分野】
【０００１】
本発明は、アナログ式火災感知器および火災受信機に関する。
【背景技術】
【０００２】
火災感知器の出力値を定常値監視する場合、初期のノイズレベルＶ０（煙のない出力値）よりも下側の出力値異常について、経年変化等による出力値注意状態と、素子断線等による出力値異常状態とを、火災感知器側が判別する。
【０００３】
たとえば、経年変化によって素子が劣化し、低感度化した場合、初期よりも高濃度の煙が発生しないと火災検出できなくなる。
【０００４】
一方、素子が断線すると、断線した素子の出力電圧は常にゼロであり、この場合、火災検出が不可能である。
【０００５】
また、初期のノイズレベルＶ０よりも上側の出力値異常について、経年変化等による出力値注意状態（ＳＬＶ１）と、異常による発光量増加等による出力値異常状態（ＳＬＶ２）とを、火災受信機側が判別する方法が知られている（定常値監視方式の一例）（たとえば、特許文献１参照）。そして、火災受信機は、これら出力値注意状態と出力値異常状態とを警報する。
【特許文献１】特開平８−１８５５８６号公報
【発明の開示】
【発明が解決しようとする課題】
【０００６】
従来のアナログ式火災感知器の出力値が異常である要因は、センサの物理的な破損（出力値異常状態）、または経年変化やセンサ自体の汚れによる検出精度の劣化（出力値注意状態）である。これらのうちで、どちらかの故障が発生した場合に、故障が発生したことを表示する。この従来例において、出力値注意状態が発生した場合、検出精度が劣るものの、火災検出は可能であるので、緊急に対応する必要はない。
【０００７】
しかし、上記従来例では、出力値注意状態と出力値異常状態とを同じように表示しているので、この故障表示を見た人は、出力値注意状態と出力値異常状態とを区別することができない。
【０００８】
つまり、上記従来例では、出力値注意状態時に、緊急の対応をする必要がないのに、昼夜を問わずに、緊急の対応をせざるを得ないという問題がある。このように昼夜を問わずに対応せざるを得ないので、作業効率が悪いという問題がある。
【０００９】
本発明は、火災検出を行うことができる故障である出力値注意状態時に、緊急の対応をする必要がないことを報知できるアナログ式火災感知器および火災受信機を提供することを目的とするものである。
【課題を解決するための手段】
【００１０】
本発明は、火災受信機からのポーリング動作によって、定期的に状態返送を要求され、通常時には、アナログ値を出力値として上記火災受信機に返送するアナログ式火災感知器において、上記アナログ式火災感知器は、判別対象の故障が、火災検出を行うことができる緊急性が低い故障である出力値注意状態であるか、火災検出を行うことができない緊急性が高い故障である出力値異常状態であるかを判別する状態判別手段と、上記判別対象の故障が上記出力値注意状態であると判別された場合、出力値注意状態であることを示す出力値注意状態コードを生成し、一方、上記判別対象の故障が上記出力値異常状態であると判別された場合、出力値異常状態であることを示す出力値異常状態コードを生成するコード生成手段と、上記コード生成手段が生成した上記出力値異常状態コードまたは上記出力値注意状態コードを、火災受信機に送信するコード送信手段と、を有し、上記コード送信手段は、上記火災受信機からのポーリング動作によって返送する出力値として、通常時には、アナログ値を送信し、出力値注意状態時には、上記火災受信機による火災検出を阻害しない所定時間毎に１回、アナログ値の代わりに上記出力値注意状態コードを送信し、出力値異常状態時には、上記出力値異常状態コードを送信することを特徴とするアナログ式火災感知器である。
【発明の効果】
【００１１】
本発明によれば、火災検出を行うことができる故障である出力値注意状態時に、緊急の対応をする必要がないことを報知できるという効果を奏する。
【発明を実施するための最良の形態】
【００１２】
発明を実施するための最良の形態は、以下の実施例である。
【実施例１】
【００１３】
図１は、本発明の実施例１である火災受信機ＲＥ１を含む火災報知設備ＦＡ１のシステム構成を示すブロック図である。
【００１４】
火災報知設備ＦＡ１は、差動式スポット型感知器ＳＥ１と、光電式スポット型感知器ＳＥ２と、熱アナログ感知器ＳＥ３と、光電式アナログ感知器ＳＥ４と（以上、アナログ式火災感知器ＳＥ１〜ＳＥ４）、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１５】
また、火災報知設備ＦＡ１は、メッセージ表示機Ｄ１、Ｄ２、〜、Ｄ３１と、ディスプレイシステムＤＰ１、および中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１６】
図２は、火災受信機ＲＥ１を示すブロック図である。
【００１７】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１８】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、内部にＲＯＭ・ＲＡＭを有し、メモリカードＭＣ１が挿入、接続される。ＯＰＯ基板Ｂ１は、出力用基板である。ＯＰＩＮ基板Ｂ２は、入力用基板である。
【００１９】
ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２０】
ＭＣＵ基板２０は、主制御ユニットの基板であり、状態コード受信手段と、出力値異常状態通知手段と、出力値注意状態通知手段とを有する。
【００２１】
状態コード受信手段は、火災検出を行うことができない故障であることを示す出力値異常状態コード、または、火災検出を行うことができる故障であることを示す出力値注意状態コードを、各アナログ式火災感知器から受信する手段である。
【００２２】
出力値異常状態通知手段は、上記アナログ式火災感知器から上記出力値異常状態コードを受信すると、即座に、出力値異常状態を表示しまたは異常音を発生することによって、出力値異常状態が発生したことを通知する手段である。
【００２３】
出力値注意状態通知手段は、上記アナログ式火災感知器から上記出力値注意状態コードを受信すると、上記アナログ式火災感知器から上記状態コードを検出したか否かを、所定周期（２４時間周期）でサンプリングし、上記出力値注意状態コードを継続的に受信した場合にのみ、出力注意状態用アイコンを表示し、または警告表示することによって、出力値注意状態が発生したことを通知する手段である。
【００２４】
インバータＩＮＶ１は、ＬＣＤ３０のバックライトを駆動する電源を制御するものである。
【００２５】
ＬＣＤ３０は、表示手段の例である。また、タッチパネルＴＰは、操作手段の例である。
【００２６】
ＣＴＵ基板Ｂ６〜Ｂｎは、端末と接続する伝送基板であり、２系統分の伝送線を制御する。
【００２７】
アナログ式火災感知器は、状態判別手段と、コード生成手段と、コード送信手段とを有する。
【００２８】
上記状態判別手段は、判別対象の故障が、火災検出を行うことができる故障である出力値注意状態であるのか、火災検出を行うことができない故障である出力値異常状態であるのかを判別する手段である。
【００２９】
上記コード生成手段は、判別対象の故障が出力値注意状態であると判別された場合、出力値注意状態であることを示す出力値注意状態コードを生成し、一方、判別対象の故障が出力値異常状態であると判別された場合、出力値異常状態であることを示す出力値異常状態コードを生成する手段である。
【００３０】
上記コード送信手段は、コード生成手段が生成した出力値異常状態コードまたは出力値注意状態コードを、火災受信機に送信する手段である。
【００３１】
上記コード送信手段は、出力値注意状態コードを火災受信機に送信する場合、火災検出を阻害しない所定時間（たとえば１２時間）毎に１回、出力値注意状態コードを火災受信機に送信する手段である。
【００３２】
図４は、アナログ式火災感知器の定常値監視動作を示す説明図である。
【００３３】
この図を利用して、出力値異常状態、出力値注意状態について説明する。なお、アナログ式火災感知器としての煙感知器を例として説明する。
【００３４】
図４において、出力レベルＳＬＶ０は、初期のノイズレベルＶ０から出力変化がない場合の特性であり、出力レベルＳＬＶ１は、経年変化によって出力レベルＳＬＶが徐々に増加した場合の例であり、第１上限値Ｖu1よりも多くなっている連続時間が時間Ｔ３よりも長くなったときに、緊急性の低い（火災検出を行うことができる故障である）出力値注意状態であると判断する。
【００３５】
出力レベルＳＬＶ２は、回路の腐食等によって発光量が異常に多くなった等によって出力レベルＳＬＶが急激に増加した場合の例であり、第２上限値Ｖu2（第１上限値Ｖu1よりも多い値）よりもさらに多くなっている連続時間が時間Ｔ４（時間Ｔ３よりも短い時間）よりも長くなったときに、緊急性が高い（火災検出を行うことができない故障である）出力値異常状態であると判断する。
【００３６】
また、出力レベルＳＬＶ３は、経年変化によって出力レベルＳＬＶが徐々に減少した場合の例であり、第１下限値Ｖd1よりも少なくなっている連続時間が時間Ｔ１よりも長くなったときに、緊急性の低い（火災検出を行うことができる故障である）出力値注意状態であると判断する。
【００３７】
出力レベルＳＬＶ４は、素子断線等によって出力レベルＳＬＶが急激に減少した場合の例であり、第２下限値Ｖd2（第１下限値Ｖd1よりも少ない値）よりもさらに少なくなっている連続時間が時間Ｔ２（時間Ｔ１よりも短い）よりも長くなったときに、緊急性の高い（火災検出を行うことができない故障である）出力値異常状態であると判断する。
【００３８】
なお、出力が変化しない出力レベルＳＬＶ０の途中で、フラッシュ等によって出力レベルが一時的に急増しても、その時間が時間Ｔ４よりも短ければ、誤報とは判断されない。
【００３９】
そして、アナログ式火災感知器は、火災受信機ＲＥ１からのポーリング動作によって定期的に状態返送命令を要求されて、出力値を返送するときに、出力値として、出力レベルＳＶＬとしてのアナログ値、出力値異常状態コード、または出力値注意状態コードを返送する。
【００４０】
ここで、アナログ式火災感知器は、出力値異常状態でも出力値注意状態でもない通常時には、アナログ値を返送し、出力値異常状態であるときは、出力値異常状態コードを返送し、出力値注意状態であるときは、出力値注意状態コードを返送する。なお、出力値注意状態コードの返送は、火災受信機ＲＥ１側での定期的なアナログ値受信による火災検出を阻害しない所定時間（たとえば１２時間）毎に１回、となるように内部タイマによって設定されている。つまり、出力値注意状態は、火災検出を行うことができる故障である。
【００４１】
なお、レベル的には、火災受信機ＲＥ１側での火災判別値は、第１上限値Ｖu1と第２上限値Ｖu2との間となる。この点では、緊急性の高い出力値異常状態時には、火災と判別されるレベルである。しかし、実際の火災の場合は、レベルが徐々に高くなり、一気に第２上限値Ｖu2には達しない。そして、火災監視動作にも蓄積時間（通常６０秒をこえない時間）があり、実質的には同時には起こらない。
【００４２】
次に、実施例１の動作について説明する。
【００４３】
図３は、実施例１において、火災受信機における火災感知器の定常値監視の動作を示すフローチャートである。
【００４４】
Ｓ１で、ポーリングによって、アナログ式火災感知器ＳＥ１〜ＳＥ４からデータを収集し、Ｓ２で、収集したデータの出力値が異常（出力値異常状態コード）であるかどうかを判断する。収集したデータの出力値が異常であれば、Ｓ３で、出力値異常処理を行い、スピーカＳＰ１から音響を鳴動し、プリンタＰＲ１への印字、メモリカードＭＣ１の履歴リストへの記録、地区（や感知器アドレス）をＬＣＤ３０上に表示する。
【００４５】
収集したデータの出力値が異常でなければ、Ｓ４で、収集したデータの出力値が注意（出力値注意状態コード）であるかどうかを判断する。
【００４６】
収集したデータの出力値が注意であれば、Ｓ５で、出力値注意カウンタの値を１セットする（１インクリメントする）。なお、上記出力値注意カウンタは、収集したデータの出力値が注意であることを、サンプリングごとにカウントするカウンタであり、ＭＣＵ基板２０内に設けられている。
【００４７】
収集したデータの出力値が注意でなければ、Ｓ６で、アナログ値を通常処理する。
【００４８】
また、Ｓ７で、２４時間が経過したかどうかを判断する。２４時間が経過すれば、Ｓ８で、上記出力値注意カウンタの値が１以上であるかどうかを判断する。
【００４９】
上記出力値注意カウンタの値が１以上であれば、Ｓ９で、出力値注意ＯＮ処理として、出力値注意状態であることを示すアイコンをＬＣＤ３０上に表示し、出力値注意状態である旨を、地区や感知器アドレスとともに、メモリカードＭＣ１内の履歴リストへ記録する。アイコン表示は、次回まで２４時間表示され続ける。
【００５０】
上記出力値注意カウンタの値が０であれば、Ｓ１０で、出力値注意ＯＦＦ処理として、アイコンの表示を消去し、出力値注意状態から復帰した旨を、地区や感知器アドレスと共に、メモリカードＭＣ１内の履歴リストへ記録する。そして、Ｓ１１で、出力値注意カウンタを「０」にセットする。つまり、２４時間毎にカウンタをリセットすることによって、出力値注意状態の判別を再スタートさせる。
【００５１】
Ｓ１２で、操作手段による手動起動または自動起動の自動試験を開始するかどうかを判断する。自動試験を開始するのであれば（自動試験は、所定日数毎に行われる）、Ｓ１３で、当該端末（アナログ式火災感知器ＳＥ１〜ＳＥ４）が、その出力値が異常である端末であるのか、出力値注意状態の端末であるのかを判断する。上記出力値異常状態コード、出力値注意状態コード（各端末の最新の状態のコード）が、ＭＣＵ基板２０のＲＡＭに記憶されている。出力値が異常である端末、出力値注意である端末があれば、Ｓ１４で、出力値異常状態の端末、出力値注意状態の端末のリストを印字する。
【００５２】
火災感知器の定常値を監視する場合、経年変化等による出力値注意状態と、素子断線等による出力値異常状態とを、火災感知器側が判別する。
【００５３】
そして、火災感知器が定常値を監視する場合、火災感知器が出力値注意状態または出力値異常状態を判別し、出力値注意状態の信号と、出力値異常状態の信号とを区別して送出し、火災受信機ＲＥ１は、出力値注意状態と、出力値異常状態とを区別して警報する。
【００５４】
アナログ感知器の汚れ等による出力値注意状態を示す情報を受信したら、出力値注意状態を示すアイコンを表示し、２４時間以内に、出力値注意状態を示す情報を受信しなければ、出力値注意状態用アイコンの表示を消去する。
【００５５】
上記実施例では、検出感度のズレ等、火災を検出することができる程度の故障を、出力値注意状態とし、サーミスタの断線等、火災を検出することができない故障を、出力値異常状態とし、互いに区別する。
【００５６】
各アナログ式火災感知器が、その状態を検出し、出力値異常状態、または、出力値注意状態が確定すると、出力値異常状態に対応するコード、または、出力値注意状態に対応するコードを火災受信機ＲＥ１に通知する。
【００５７】
出力値異常状態は、火災を検出することができない障害であるので、その異常が発生したときに、出力値異常状態であることを即座に表示し、異常音を発生する。これによって、即座に保守対応させることができる。
【００５８】
出力値注意状態は、しばらくは火災を検出することができるので、故障検出を、２４時間周期でサンプリングし、その状態が継続した場合にのみ、出力値注意状態表示用アイコンを表示し、警告表示する。
【００５９】
出力値注意状態が発生したときに、火災受信機ＲＥ１へ通知する場合、火災検出を阻害しないように、１２時間に１回、通知する。
【００６０】
出力値注意状態が発生していることを注意喚起するために、１週間に１回、出力値注意状態が発生している旨を印字する。
【００６１】
アナログ感知器が汚れている等に起因する出力値注意状態情報を受信したら、出力値注意状態を示すアイコンを表示し、２４時間で注意がなくなれば、出力値注意状態表示用アイコンを消去する。以上によって、即座ではなく、気付いたときに保守対応させることができる。
【００６２】
上記実施例において、アナログ式火災感知器から出力値注意状態に対応するコードを受信すると、当該火災感知器において出力値注意状態が生じている旨を示す情報を、たとえば、自動試験実施日毎等、所定日数（たとえば１週間）毎に、印字するようにしてもよい。
【００６３】
上記実施例によれば、出力値異常状態である場合、即座に出力値異常状態を警報するので、出力値異常状態の端末から交換する等の対応を実行することができる。出力値注意状態の端末については、すぐには警報しない。
【００６４】
また、上記実施例によれば、出力値異常状態の端末と、出力値注意状態の端末とを、区別してリスト印字できるので、保守対応がし易い。
【００６５】
ところで、上記実施例において、アナログ式火災感知器は、状態判別手段とコード生成手段とコード送信手段とを有し、出力値注意状態または出力値異常状態を判別し、出力値注意状態コードまたは出力値異常状態コードを火災受信機に送信し、火災受信機が状態コード受信手段を有する。しかし、上記実施例において、状態コードを送受信するではなく、アナログ式火災感知器がアナログ値を常時送信し、火災受信機が受信したアナログ値に基づいて、図４に示す定常値監視動作を行い、出力値注意状態または出力値異常状態を判別するようにしてもよい。
【００６６】
つまり、火災受信機は、アナログ式火災感知器からのアナログ信号に基づく判別対象の故障が、火災検出を行うことができる故障である出力値注意状態であるのか、火災検出を行うことができない故障である出力値異常状態であるのかを判別する状態判別手段と、上記判別対象の故障が上記出力値異常であると判別された場合、即座に、出力値異常状態を表示しまたは異常音を発生することによって、出力値異常状態が発生したことを通知する出力値異常状態通知手段と、上記判別対象の故障が上記出力値注意であると判別された場合、上記出力値注意状態であると判別されたのか否かを、所定周期で判別し、上記出力値注意状態を継続的に判別した場合にのみ、出力値注意状態用アイコンを表示し、または警告表示することによって、出力値注意状態が発生したことを通知する出力値注意状態通知手段とを有するようにしてもよい。
【図面の簡単な説明】
【００６７】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１において、火災受信機における火災感知器の定常値監視の動作を示すフローチャートである。
【図４】アナログ式火災感知器の定常値監視動作を示す図である。
【符号の説明】
【００６８】
ＦＡ１…火災報知設備、
ＲＥ１…火災受信機、
２０…ＭＣＵ基板、
３０…ＬＣＤ、
ＳＥ１…差動式スポット型感知器、
ＳＥ２…光電式スポット型感知器、
ＳＥ３…熱アナログ感知器、
ＳＥ４…光電式アナログ感知器。
【図１】
0005279171.tif 000002
【図２】
0005279171.tif 000003
【図３】
0005279171.tif 000004
【図４】
0005279171.tif 000005